(57)【要約】【課題】用紙を挿抜するためのスペースを小さくすることができる綴じ具およびこれを備えるファイルを提供すること。【解決手段】用紙の綴じ穴に挿抜される円弧状の係止部１１１と、係止部１１１と協動して用紙を綴じる係止受け部１２１と、組み立て時において係止部１１１の円弧の中心を通る軸線Ｍの方向に係止部１１１と係止受け部１２１とのスライド移動を案内し、組み立て後において用紙を綴じる閉位置Ｑと用紙を開放する開位置との間で係止部１１１と係止受け部１２１とを軸線Ｍを回転中心として相対的に回転可能に保持する案内保持部１１３，１１４，１２２，１２３とを備える。【選択図】図１
2020163794.tif 000002
【特許請求の範囲】
【請求項１】
用紙の綴じ穴に挿抜される円弧状の係止部と、
前記係止部と協動して前記用紙を綴じる係止受け部と、
組み立て時において前記係止部の円弧の中心を通る軸線の方向に前記係止部と前記係止受け部とのスライド移動を案内し、組み立て後において前記用紙を綴じる閉位置と前記用紙を開放する開位置との間で前記係止部と前記係止受け部とを前記軸線を回転中心として相対的に回転可能に保持する案内保持部とを備える綴じ具。
【請求項２】
前記案内保持部は、
前記係止部または前記係止受け部のいずれか一方に連結された内周部材と、
前記係止部または前記係止受け部のいずれか他方に連結され前記円弧の中心に対して前記内周部材の外方に同心状に設けられた外周部材とを備え、
前記内周部材には、前記軸線の方向に延びる外周面が設けられ、
前記外周部材には、前記軸線の方向に延びる内周面が設けられ、
前記外周面と前記内周面とが、前記組み立て時において前記軸線の方向に摺動しながら前記スライド移動を案内し、前記組み立て後において前記軸線を回転中心として相対的に摺動回転する請求項１に記載の綴じ具。
【請求項３】
前記内周面および前記外周面は、
前記係止部の回転軌跡上の円の外方領域に設けられている請求項２に記載の綴じ具。
【請求項４】
前記内周面および前記外周面は、
前記係止部の回転軌跡上の円の内方領域に設けられている請求項２に記載の綴じ具。
【請求項５】
前記係止部を回転させる環状の操作部を備え、
前記操作部が、前記内周部材または前記外周部材と一体に設けられている請求項２から請求項４のいずれか一項に記載の綴じ具。
【請求項６】
前記外周部材に、周方向に延びる周方向溝部が設けられており、
前記内周部材の外周面に、前記周方向溝部に配される凸部が設けられている請求項２から請求項５のいずれか一項に記載の綴じ具。
【請求項７】
前記開位置において前記用紙が出し入れされ前記閉位置において前記用紙が綴じられる開閉スペースを設けるための一対の縁部が前記係止受け部に設けられており、
一方の前記縁部から他方の前記縁部までの前記円弧の中心に対する前記開閉スペース側の開き角度が９０°〜１８０°に設定されている請求項１から請求項６のいずれか一項に記載の綴じ具。
【請求項８】
前記係止部の基端部から先端部までの弧の長さ寸法が、前記一対の縁部の周方向の間における前記開閉スペース側の弧の長さ寸法以上であって前記開閉スペース側と反対側の弧の長さ寸法以下に設定されている請求項１から請求項７のいずれか一項に記載の綴じ具。
【請求項９】
請求項１から請求項８のいずれか一項に記載の綴じ具と、
前記綴じ具に設けられた表紙部と、
前記係止部および前記係止受け部によって綴じられる用紙と
を備えるファイル。
【発明の詳細な説明】
【技術分野】
【０００１】
本発明は、綴じ具およびこれを備えるファイルに関する。
【背景技術】
【０００２】
従来、用紙を綴じるための種々の綴じ具が利用されている。このような綴じ具としては、半円状に形成された一対の半リング部が円周上に連結されたものが知られている（例えば、特許文献１参照。）。そして、一対の半リング部が互いに開閉することにより、用紙が挿抜されるようになっている。
【先行技術文献】
【特許文献】
【０００３】
【特許文献１】特開２０１８−１４９６８７号公報
【発明の概要】
【発明が解決しようとする課題】
【０００４】
しかしながら、このような綴じ具では、一対の半リング部が互いに開閉するために径方向のスペースが大きくなってしまうという問題がある。
【０００５】
以上に鑑みて、本発明は、用紙を挿抜するためのスペースを小さくすることができる綴じ具およびこれを備えるファイルを提供することを目的とする。
【課題を解決するための手段】
【０００６】
上記課題を解決するために、以下の手段を提供する。
本発明は、用紙の綴じ穴に挿抜される円弧状の係止部と、前記係止部と協動して前記用紙を綴じる係止受け部と、組み立て時において前記係止部の円弧の中心を通る軸線の方向に前記係止部と前記係止受け部とのスライド移動を案内し、組み立て後において前記用紙を綴じる閉位置と前記用紙を開放する開位置との間で前記係止部と前記係止受け部とを前記軸線を回転中心として相対的に回転可能に保持する案内保持部とを備える。
【発明の効果】
【０００７】
本願の一観点によれば、用紙を挿抜するためのスペースを小さくすることができる。
【図面の簡単な説明】
【０００８】
【図１】本発明の実施形態としての綴じ具およびファイルを示す図であって、爪部および係止受け部が閉位置に配された様子を示す斜視図である。
【図２】綴じ具およびファイルを示す図であって、爪部および係止受け部が開位置に配された様子を示す斜視図である。
【図３】図１のＡ−Ａ線断面図である。
【図４】図１の綴じ具を分解した様子を示す分解斜視図である。
【図５】爪部または係止受け部の開き角度を示す図であって、（ａ）は爪部の開き角度を示す説明図、（ｂ）は係止受け部の開き角度を示す説明図、（ｃ）は爪部の開き角度の変形例を示す説明図、（ｄ）は係止受け部の開き角度の変形例を示す説明図である。
【図６】爪部と係止受け部とが相対的に回転する様子を示す図であって、（ａ）は両者が開位置Ｓに配された様子を示す説明図、（ｂ）は爪部が開位置に対して９０°回転した位置に配された様子を示す説明図、（ｃ）は両者が閉位置Ｑに配された様子を示す説明図である。
【図７】本発明の第１の変形例としての綴じ具およびファイルを示す斜視図である。
【図８】本発明の第２の変形例としての綴じ具およびファイルを示す斜視図である。
【図９】本発明の第３の変形例としての綴じ具およびファイルを示す斜視図である。
【図１０】本発明の第４の変形例としての綴じ具およびファイルを示す斜視図である。
【発明を実施するための形態】
【０００９】
（実施形態）
以下、本発明の実施形態における綴じ具およびこれを備えるファイルについて説明する。
図１は、綴じ具およびファイルを示す図であって、後述する爪部１１１および係止受け部１２１が閉位置Ｑに配された様子を示す斜視図である。
図２は、綴じ具およびファイルを示す図であって、爪部１１１および係止受け部１２１が開位置Ｓに配された様子を示す斜視図である。
図３は、図１のＡ−Ａ線断面図である。
なお、図１および図２においては、図３に示す用紙Ｐおよびホルダー６を図示の便宜上省略していることは言うまでもない。
図１から図３に示すように、ファイル１は、矩形状の用紙Ｐと、用紙Ｐをまとめるホルダー６と、用紙Ｐをカバーする表紙部５と、用紙Ｐをホルダー６ごと綴じる綴じ具１０とを備えている。
【００１０】
用紙Ｐは、ルーズリーフなどの紙シートであって、爪部１１１が挿抜される不図示の綴じ穴が幅方向の一端部に形成されている。
ホルダー６は、樹脂からなり用紙Ｐを表裏から挟んでまとめるものである。ホルダー６は、矩形シート状に形成されて互いに対向する表シート部６ａおよび裏シート部６ｂと、これらを連結する背シート部６ｃとを備えている。
表シート部６ａおよび裏シート部６ｂの幅方向の一端部には、爪部１１１が挿抜される不図示の綴じ穴が形成されている。
背シート部６ｃの横断面形状は、内方側に凸とされて軸線Ｍを中心とする円弧状に形成されている。すなわち、背シート部６ｃの内方側の高さ寸法は、周方向の中心部において最も高く、周方向の両端にいくにしたがって漸次低くなっている。そのため、表シート部６ａと裏シート部６ｂとの間に配された用紙Ｐは、中心部において高く配され両端にいくに従って漸次低くなるように配されて、用紙Ｐおよびホルダー６のそれぞれの綴じ穴が軸線Ｍを中心とした周上に配されるようになっている。
表紙部５は、矩形シート状に形成されて互いに対向する表表紙部５ａと裏表紙部５ｂとを備えている。これら表表紙部５ａおよび裏表紙部５ｂは、綴じ具１０によって綴じられた用紙Ｐおよびホルダー６を表裏から挟んでカバーするものである。これら表表紙部５ａおよび裏表紙部５ｂは、接着剤などを介して綴じ具１０の外表面に貼付されており、互いに開閉可能になっている。
【００１１】
綴じ具１０は、金属からなっており用紙Ｐおよびホルダー６を綴じるものである。この綴じ具１０は、図４に示すように、回転部１１と、回転受け部１２とを備えている。
回転部１１は、複数の爪部（係止部）１１１と、長尺状の連結部１１２と、回転部側先端環状部１１３と、回転部側基端環状部１１４と、操作部１１５と、バネ１１６と、大径部１１７とを備えている。
爪部１１１は、用紙に形成された綴じ穴に挿抜されるものである。爪部１１１は、すべて同サイズ同形状であって、板状をなしかつ円弧状に延ばされて形成されている。
なお、符号Ｍは、爪部１１１の円弧の中心を通る軸線を示している。
爪部１１１は、軸線Ｍ方向に複数設けられ、すべての爪部１１１の円弧の中心が軸線Ｍ上に配置されている。すなわち、すべての爪部１１１は、軸線Ｍ方向から見て、この軸線Ｍを中心として同心状に設けられている。
【００１２】
爪部１１１の基端部１１１ｂには、複数の爪部１１１を連結する連結部１１２が設けられている。連結部１１２は、軸線Ｍに沿って延ばされており、その横断面は板状をなし軸線Ｍを中心とする円弧状に形成されている。また、連結部１１２の厚さ寸法は、爪部１１１の厚さ寸法と同一になっている。すなわち、連結部１１２は、爪部１１１の基端部１１１ｂにおいて、軸線Ｍ方向から見て、軸線Ｍを中心とする周上に爪部１１１と一体に連結されている。
なお、爪部１１１および連結部１１２の長さ寸法等の各サイズについては、後述するものとする。
【００１３】
連結部１１２の先端には、円筒状に形成された回転部側先端環状部１１３が設けられている。回転部側先端環状部１１３は、その円の中心を軸線Ｍが通るようにして連結部１１２の先端に連結されており、回転部側先端環状部１１３の筒穴は軸線Ｍ方向に延ばされている。回転部側先端環状部１１３の厚さ寸法は、連結部１１２の厚さ寸法と同一になっている。すなわち、回転部側先端環状部１１３は、連結部１１２の先端において、爪部１１１および連結部１１２に対して同心状に配置されて連結部１１２と一体に連結されている。
また、回転部側先端環状部１１３の外周面１１３ａは、爪部１１１および連結部１１２のそれぞれの外周面に対して軸線Ｍから見て面一になっている。さらに、回転部側先端環状部１１３の内周面は、爪部１１１の内周面および連結部１１２の内周面に対して軸線Ｍから見て面一になっている。
【００１４】
回転部側先端環状部１１３の先端には、円板状の大径部１１７が設けられている。大径部１１７は、回転部側先端環状部１１３に対して同心状に配置されて回転部側先端環状部１１３と一体に連結されている。また、大径部１１７の径寸法は、回転部側先端環状部１１３の径寸法よりも大きくなっており、後述する受け部側先端環状部１２２の径寸法と同一になっている。すなわち、大径部１１７の外周面は、綴じ具１０の組み立て後においては受け部側先端環状部１２２の外周面に対して軸線Ｍから見て面一になるようになっている。
また、回転部側先端環状部１１３の外周面１１３ａには、リング状のバネ１１６が設けられている。バネ１１６は、周方向の一部が切り欠かれており、この切り欠きを開いて弾性変形させた状態で外周面１１３ａに嵌められ、弾性によって元に戻ると、外周面１１３ａの全周にわたって設けられるようになっている。このバネ１１６は、厚さ方向に千鳥状に形成されている。バネ１１６が外周面１１３ａに設けられると、綴じ具１０の組み立て後においては大径部１１７と受け部側先端環状部１２２との間で軸線Ｍ方向に弾性変形された状態となり、回転受け部１２の基端側に向けて回転受け部１２を回転部１１に対して付勢するようになっている。すなわち、バネ１１６は、組み立て後においては、回転部１１をその先端側に付勢し、回転受け部１２をその基端側に付勢するようになっている。
【００１５】
連結部１１２の基端には、円筒状に形成された回転部側基端環状部１１４が設けられている。回転部側基端環状部１１４は、その円の中心を軸線Ｍが通るようにして連結部１１２の基端に連結されており、回転部側基端環状部１１４の筒穴は軸線Ｍ方向に延ばされている。回転部側基端環状部１１４の厚さ寸法は、連結部１１２の厚さ寸法と同一になっている。すなわち、回転部側基端環状部１１４は、連結部１１２の基端において、爪部１１１、連結部１１２および回転部側先端環状部１１３に対して同心状に配置されて連結部１１２と一体に連結されている。
また、回転部側基端環状部１１４の外周面１１４ａは、爪部１１１、連結部１１２および回転部側先端環状部１１３のそれぞれの外周面に対して軸線Ｍから見て面一になっている。さらに、回転部側基端環状部１１４の内周面は、爪部１１１、連結部１１２および回転部側先端環状部１１３のそれぞれの内周面に対して軸線Ｍから見て面一になっている。
【００１６】
回転部側基端環状部１１４の軸線Ｍ方向の長さ寸法１１４Ｌ１は、後述する受け部側基端環状部１２３の軸線Ｍ方向の長さ寸法１２３Ｌ１よりも大きくなっている。そのため、回転部側基端環状部１１４の基端は、組み立て後において、受け部側基端環状部１２３の基端から、軸線Ｍ方向に基端側に突出するようになっている。この回転部側基端環状部１１４の突出した部分が操作部１１５として機能するものである。すなわち、操作部１１５は、回転部側基端環状部１１４の基端側に一体に設けられている。
また、回転部側基端環状部１１４の外周面１１４ａには、軸線Ｍに対して径方向に向けられたネジ穴１１４ｃが形成されており、このネジ穴１１４ｃに対してネジ（凸部）１１４ｂが締められるようになっている。ネジ１１４ｂは、ネジ穴１１４ｃに締められると、外周面１１４ａから径方向外方に突出するようになっている。
【００１７】
回転受け部１２は、係止受け部１２１と、受け部側先端環状部１２２と、受け部側基端環状部１２３とを備えている。
係止受け部１２１は、軸線Ｍ方向に延ばされて略半円筒状に形成されている。すなわち、係止受け部１２１の全周のうちの一部は開放された開閉スペース１２１ｃとされている。この開放された開閉スペース１２１ｃは、用紙Ｐを出し入れするために設けられたものであり、爪部１１１とともに用紙Ｐを綴じるために設けられたものである。係止受け部１２１の周方向の両端は、開閉スペース１２１ｃを設けるための縁部１２１ａとされている。
係止受け部１２１の内径寸法は、爪部１１１の外径寸法と同一になっている。
なお、係止受け部１２１の長さ寸法等の各サイズについては、後述するものとする。
【００１８】
また、係止受け部１２１の先端には、円筒状に形成された受け部側先端環状部１２２が設けられている。
受け部側先端環状部１２２は、その円の中心を軸線Ｍが通るようにして係止受け部１２１の先端に連結されており受け部側先端環状部１２２の筒穴は軸線Ｍ方向に延ばされている。受け部側先端環状部１２２の厚さ寸法は、係止受け部１２１の厚さ寸法と同一になっている。また、受け部側先端環状部１２２の径寸法は、係止受け部１２１の径寸法と同一になっている。すなわち、受け部側先端環状部１２２は、係止受け部１２１の先端において、係止受け部１２１に対して同心状に配置されて係止受け部１２１と一体に連結されている。さらに、受け部側先端環状部１２２の外周面１２２ａは、係止受け部１２１の外周面に対して軸線Ｍから見て面一になっている。また、受け部側先端環状部１２２の内周面１２２ｂは、係止受け部１２１の内周面に対して軸線Ｍから見て面一になっている。
受け部側先端環状部１２２の内径寸法は、爪部１１１、回転部側先端環状部１１３および回転部側基端環状部１１４の外径寸法と同一になっている。また、受け部側先端環状部１２２の先端は、開放端とされている。
【００１９】
係止受け部１２１の後端には、円筒状に形成された受け部側基端環状部１２３が設けられている。
受け部側基端環状部１２３は、その円の中心を軸線Ｍが通るようにして係止受け部１２１の基端に連結されており受け部側基端環状部１２３の筒穴は軸線Ｍ方向に延ばされている。受け部側基端環状部１２３の厚さ寸法は、係止受け部１２１の厚さ寸法と同一になっている。また、受け部側基端環状部１２３の径寸法は、係止受け部１２１の径寸法と同一になっている。すなわち、受け部側基端環状部１２３は、係止受け部１２１の基端において、係止受け部１２１および受け部側先端環状部１２２に対して同心状に配置されて係止受け部１２１と一体に連結されている。さらに、受け部側基端環状部１２３の外周面１２３ａは、係止受け部１２１の外周面に対して軸線Ｍから見て面一になっている。また、受け部側基端環状部１２３の内周面１２３ｂは、係止受け部１２１の内周面１２１ｂに対して軸線Ｍから見て面一になっている。
受け部側基端環状部１２３の内径寸法は、爪部１１１、回転部側先端環状部１１３および回転部側基端環状部１１４の外径寸法と同一になっている。
さらに、受け部側基端環状部１２３には、厚さ方向に貫通する長溝１２３ｃが設けられている。この長溝１２３ｃは、外方に露出しており、使用者が外方から目視できるようになっている。
また、長溝１２３ｃは、周方向に延びる周方向溝部１２３ｃ１と、この周方向溝部１２３ｃ１の両端から軸線Ｍ方向に沿って先端側に延びる一対の軸線方向溝部１２３ｃ２とからなる。組み立て後には、この長溝１２３ｃにネジ１１４ｂが配され、周方向溝部１２３ｃ１と軸線方向溝部１２３ｃ２との全長にわたって、ネジ１１４ｂが移動するようになっている。
【００２０】
ここで、爪部１１１、連結部１１２および係止受け部１２１の長さ寸法等の各サイズについて説明する。
図５（ａ）に示すように、爪部１１１の基端部１１１ｂから先端部１１１ａまでの軸線Ｍを中心とする互いの開き角度θ１は、１７５°に設定されている。そのため、基端部１１１ｂから先端部１１１ａまでの弧の長さ寸法Ｌ１は、爪部１１１の半径をｒ１とすると、以下の式で算出される。
長さ寸法Ｌ１＝２×π×ｒ１×（１７５°÷３６０°）
また、連結部１１２の基端部から先端部までの互いの開き角度θ２は、３５°に設定されている。そのため、連結部１１２の基端部から先端部までの弧の長さ寸法Ｌ２は、以下の式で算出される。
長さ寸法Ｌ２＝２×π×ｒ１×（３５°÷３６０°）
これら爪部１１１および連結部１１２を合わせた開き角度は、θ１＋θ２であり、２１０°となる。
【００２１】
また、図５（ｂ）に示すように、係止受け部１２１の一方の縁部１２１ａから他方の縁部１２１ａまでの軸線Ｍを中心とする互いの開き角度θ３は、１５０°に設定され、反対側の角度θ４は、２１０°に設定されている。
なお、開き角度θ３とは、一方の縁部１２１ａから他方の縁部１２１ａまでの軸線Ｍを中心とする互いの角度のうち開閉スペース１２１ｃ側の角度をいう。すなわち、開き角度θ３とは、軸線Ｍから一方の縁部１２１ａを結ぶ仮想線Ｎ１と、軸線Ｍから他方の縁部１２１ａを結ぶ仮想線Ｎ２とのなす角のうち、開閉スペース１２１ｃ側の角度をいう。
また、反対側の角度θ４とは、開き角度θ３の反対側の角度をいう。
さらに、周方向における一方の縁部１２１ａから他方の縁部１２１ａまでの弧の長さ寸法のうち、開閉スペース１２１ｃ側の弧の長さ寸法Ｌ３は、係止受け部１２１の半径をｒ２とすると、以下の式で算出される。
長さ寸法Ｌ３＝２×π×ｒ２×（１５０°÷３６０°）
なお、長さ寸法Ｌ３とは、軸線Ｍから見て、一方の縁部１２１ａと他方の縁部１２１ａとを軸線Ｍを中心とした円の軌跡上に結んだ仮想曲線の弧の長さ寸法をいう。
また、一方の縁部１２１ａから他方の縁部１２１ａまでの弧の長さ寸法のうち、開閉スペース１２１ｃ側と反対側の弧の長さ寸法Ｌ４は、以下の式で算出される。
長さ寸法Ｌ４＝２×π×ｒ２×（２１０°÷３６０°）
【００２２】
このように、爪部１１１の開き角度θ１が係止受け部１２１の開き角度θ３よりも大きく、長さ寸法Ｌ１が長さ寸法Ｌ３よりも大きくなっているため、図６（ｃ）に示すように、爪部１１１および係止受け部１２１が閉位置Ｑに配されると、爪部１１１の基端部１１１ｂから先端部１１１ａまでが、一方の縁部１２１ａから他方の縁部１２１ａを周方向に越えて配されることになる。すなわち、閉位置Ｑにおいては、基端部１１１ｂおよび先端部１１１ａが係止受け部１２１の内周面に当接するため、これにより、爪部１１１が挿通された用紙Ｐの抜けるエリアが塞がれて用紙Ｐが綴じられた状態になる。つまり、爪部１１１と係止受け部１２１とが協働することによって、用紙Ｐの開放を規制して用紙Ｐが綴じられる。
【００２３】
また、爪部１１１の開き角度θ１と連結部１１２の開き角度θ２とを合わせた角度が、係止受け部１２１の反対側の角度θ４と同一であるため、図６（ａ）に示すように、爪部１１１および係止受け部１２１が開位置Ｓに配されると、連結部１１２の基端部から爪部１１１の先端部１１１ａまでが、係止受け部１２１の内面に覆われるようになる。すなわち、連結部１１２の基端部と一方の縁部１２１ａが径方向に隣接した位置に配され、爪部１１１の先端部１１１ａと他方の縁部１２１ａが径方向に隣接した位置に配される。これにより、開閉スペース１２１ｃがオープンとなって、用紙Ｐの出し入れが可能となる。
【００２４】
次いで、綴じ具１０の組み立てについて、図４を参照して説明する。
なお、ネジ１１４ｂは、ネジ穴１１４ｃに締められていないものとする。
まず、バネ１１６を外周面１１３ａに嵌めた状態で、回転部１１の基端側と、回転受け部１２の先端側を対向させて、回転部１１と回転受け部１２とを軸線Ｍ上に配する。このとき、外周面１１３ａ、外周面１１１ｃ、外周面１１２ａおよび外周面１１４ａが軸線Ｍから見て面一になっており、内周面１２２ｂ、内周面１２１ｂおよび内周面１２３ｂが軸線Ｍから見て面一になっており、かつ外周面の外径寸法と内周面の内径寸法が同一であるため、それぞれの外周面と内周面とが軸線Ｍから見て面一に配される。すなわち、内周面１２２ｂ，１２１ｂ，１２３ｂと、外周面１１３ａ，１１１ｃ，１１２ａ，１１４ａとにわたって、軸線Ｍから見て互いに重なるような径方向の凹凸がなく、回転部１１が回転受け部１２の内方において軸線Ｍ方向にスライド移動可能な状態になる。
【００２５】
回転部１１と回転受け部１２とを軸線Ｍ方向に近づけていくと、受け部側先端環状部１２２の先端が開放端とされていることから、回転部側基端環状部１１４が受け部側先端環状部１２２の筒穴に挿入されていく。このとき、外周面１１４ａと内周面１２２ｂとが摺動することによって、爪部１１１と係止受け部１２１との軸線Ｍ方向のスライド移動が案内される。さらに、回転部１１を軸線Ｍ方向の同方向にスライド移動させていくと、回転部側基端環状部１１４が受け部側基端環状部１２３の筒穴に挿入されていき、回転部側先端環状部１１３が受け部側先端環状部１２２の筒穴に挿入されていく。このときも、外周面１１４ａと内周面１２３ｂとが摺動し、外周面１１３ａと内周面１２２ｂとが摺動することによって、爪部１１１と係止受け部１２１との軸線Ｍ方向のスライド移動が案内される。すなわち、回転部側先端環状部１１３、回転部側基端環状部１１４、受け部側先端環状部１２２および受け部側基端環状部１２３は、爪部１１１と係止受け部１２１との軸線Ｍ方向の相対的なスライド移動を案内する案内保持部として機能する。また、回転部側先端環状部１１３および回転部側基端環状部１１４は、内周部材として機能し、受け部側先端環状部１２２および受け部側基端環状部１２３は、外周部材として機能する。
【００２６】
さらに、回転部１１を軸線Ｍ方向にスライド移動させていくと、大径部１１７と受け部側先端環状部１２２とによって、バネ１１６が軸線Ｍ方向に押圧されて弾性変形していく。そして、ネジ穴１１４ｃが長溝１２３ｃの周方向溝部１２３ｃ１内に配され外方に露出する。この状態で、外方から周方向溝部１２３ｃ１を通してネジ１１４ｂをネジ穴１１４ｃに締めると、ネジ１１４ｂが長溝１２３ｃから外方に突出した状態になる。そのため、回転部１１と回転受け部１２との軸線Ｍ方向の移動が規制される。また、このとき回転部側基端環状部１１４の基端部１１４ｄが、受け部側基端環状部１２３の基端から軸線Ｍ方向の外方に突出した状態になる。この突出した基端部１１４ｄが操作部１１５となる。
これにより、綴じ具１０が組み立てられる。
【００２７】
綴じ具１０の組み立て後において、操作部１１５を指でつまみながら受け部側基端環状部１２３に対して左右に回転させると、操作部１１５を介して、回転部１１が回転受け部１２に対して軸線Ｍを回転中心として回転する。このとき、外周面１１３ａと内周面１２２ｂとが摺動回転し、外周面１１４ａと内周面１２３ｂとが摺動回転する。すなわち、回転部側先端環状部１１３、回転部側基端環状部１１４、受け部側先端環状部１２２および受け部側基端環状部１２３は、閉位置Ｑと開位置Ｓとの間で、爪部１１１と係止受け部１２１とを軸線Ｍを回転中心として相対的に回転可能に保持する案内保持部として機能する。
なお、内周面１２２ｂ，１２３ｂおよび外周面１１３ａ，１１４ａは、爪部１１１が軸線Ｍを回転中心として回転することによって軸線Ｍ方向から見て描かれる回転軌跡Ｒ（図６（ａ）に示す）上の外方領域に配されている。なお、回転軌跡Ｒは、爪部１１１の厚さ方向の中央を基準として描かれるものである。また、外方領域とは、軸線Ｍ方向から見て、回転軌跡Ｒの円の外側の領域をいう。
【００２８】
また、このときバネ１１６は、弾性変形した状態になっていることにより、回転部１１と回転受け部１２とを軸線Ｍ方向に互いに離れる方向に付勢している。そのため、ネジ１１４ｂがいずれか一方の軸線方向溝部１２３ｃ２に配されると、回転部１１が先端側にスライド移動し回転受け部１２が基端側にスライド移動することにより、ネジ１１４ｂが軸線方向溝部１２３ｃ２内の先端に配される。これにより、回転部１１と回転受け部１２との回転方向の移動が規制され、爪部１１１と係止受け部１２１との回転が規制される。
【００２９】
次いで、綴じ具１０およびファイル１の動作について説明する。
なお、爪部１１１と係止受け部１２１は、図２および図６（ａ）に示すように、開位置Ｓに配されているものとする。このとき、ネジ１１４ｂは、一方の軸線方向溝部１２３ｃ２内の先端側に配されている。
まず、ホルダー６に複数の用紙Ｐを入れて表シート部６ａと裏シート部６ｂとで挟む。このとき、図３に示すように、背シート部６ｃが円弧状に形成されていることから、用紙Ｐは、表シート部６ａと裏シート部６ｂとの間で、中央部が高く、両端部にいくに従って低くなるように配される。すなわち、ホルダー６および用紙Ｐの綴じ穴が、円弧と同心状に配される円の周上に並べられる。
【００３０】
さらに、用紙Ｐを挟んだホルダー６を、背シート部６ｃから開閉スペース１２１ｃを介して係止受け部１２１の内方に入れ、軸線Ｍ方向における爪部１１１と綴じ穴の位置を合わせる。
この状態から、一方の手で回転受け部１２を持ち、他方の手で操作部１１５をつまんで、長溝１２３ｃおよびネジ１１４ｂを目視しながら、操作部１１５を手前側に引く。すると、回転部１１が、バネ１１６の弾性力に抗して回転受け部１２に対して手前側にスライド移動する。このとき、受け部側先端環状部１２２、受け部側基端環状部１２３、回転部側先端環状部１１３および回転部側基端環状部１１４に案内されて、内周面１２２ｂ，１２３ｂと外周面１１３ａ，１１４ａとが、それぞれ軸線Ｍ方向に摺動移動する。そして、ネジ１１４ｂが軸線方向溝部１２３ｃ２の基端側に配される。
さらに、長溝１２３ｃおよびネジ１１４ｂを目視しながら、操作部１１５を右方向に回転させる。すると、受け部側先端環状部１２２、受け部側基端環状部１２３、回転部側先端環状部１１３および回転部側基端環状部１１４に保持されながら、内周面１２２ｂ，１２３ｂと外周面１１３ａ，１１４ａとが、互いに摺動回転する。このとき、ホルダー６および用紙Ｐの綴じ穴が、周上に配されていることから、爪部１１１がそれら綴じ穴を挿通しながら回転していく。なお、図６（ｂ）は、爪部１１１が開位置Ｓに対して９０°右回転した様子を示している。
【００３１】
さらに、長溝１２３ｃおよびネジ１１４ｂを目視しながら、操作部１１５を右方向に回転させると、図１および図６（ｃ）に示すように、爪部１１１が閉位置Ｑに配される。このとき、爪部１１１の長さ寸法Ｌ１が係止受け部１２１の長さ寸法Ｌ３よりも大きいことから、爪部１１１の先端部１１１ａは、縁部１２１ａを周方向に越えてその内方に配される。これにより、ホルダー６および用紙Ｐが、爪部１１１および係止受け部１２１によって綴じられる。なお、このとき、ネジ１１４ｂは軸線方向溝部１２３ｃ２に配されることから、バネ１１６の弾性力により、回転部１１が手前側にスライド移動し、ネジ１１４ｂが軸線方向溝部１２３ｃ２の先端側に配されることによって、爪部１１１および係止受け部１２１の回転が規制される。すなわち、爪部１１１および係止受け部１２１が閉位置Ｑに配された状態が保持される。
そして、表紙部５、ホルダー６および用紙Ｐが開閉されて、メモなどに使用される。
また、ホルダー６および用紙Ｐを外したり、用紙Ｐを追加したりする場合、前記と逆の動作により、爪部１１１および係止受け部１２１を開位置Ｓに配して、出し入れの動作を行う。
【００３２】
以上より、本実施形態における綴じ具１０およびファイル１によれば、受け部側先端環状部１２２、受け部側基端環状部１２３、回転部側先端環状部１１３および回転部側基端環状部１１４が、綴じ具１０の組み立て時において爪部１１１および係止受け部１２１の軸線Ｍ方向におけるスライド移動を案内し、綴じ具１０の組み立て後において爪部１１１および係止受け部１２１を軸線Ｍを回転中心として相対的に回転可能に保持することから、用紙Ｐを挿抜するための爪部１１１の回転スペースを小さくすることができる。さらに、組み立てを迅速かつ容易に行うことができる。
また、爪部１１１と係止受け部１２１が軸線Ｍを回転中心として相対的に回転することから、爪部１１１の回転動作によって指を挟むことを防止することができる。
また、組み立て時において内周面１２２ｂ，１２３ｂと外周面１１３ａ，１１４ａとが軸線Ｍ方向に摺動しながらスライド移動が案内され、組み立て後において軸線Ｍを回転中心として相対的に摺動回転することから、組み立てを迅速かつ容易に行うことができるだけでなく、爪部１１１および係止受け部１２１を確実に回転させることができる。
【００３３】
また、内周面１２２ｂ，１２３ｂおよび外周面１１３ａ，１１４ａは、爪部１１１が軸線Ｍを回転中心として回転することによって描かれる回転軌跡Ｒ上の外方領域に配されていることから、内周面１２２ｂ，１２３ｂおよび外周面１１３ａ，１１４ａを介して、爪部１１１と係止受け部１２１とを回転させやすくすることができる。
また、回転部側基端環状部１１４の基端部１１４ｄに対して操作部１１５が一体に設けられていることから、操作部１１５の製造を容易にすることができるだけでなく、爪部１１１と係止受け部１２１とを容易に回転させることができる。
【００３４】
また、周方向溝部１２３ｃ１およびネジ１１４ｂが設けられていることから、閉位置Ｑと開位置Ｓとの間において、爪部１１１および係止受け部１２１を容易に回転させることができる。
また、周方向溝部１２３ｃ１および軸線方向溝部１２３ｃ２を有する長溝１２３ｃと、ネジ１１４ｂとが設けられていることから、閉位置Ｑおよび開位置Ｓにおいて、爪部１１１および係止受け部１２１の回転を規制することができるだけでなく、回転部１１を軸線Ｍ方向にスライド移動させるという簡単な動作だけで、回転の規制を解除することができ爪部１１１および係止受け部１２１を容易に回転させることができる。
また、バネ１１６が設けられていることから、回転部１１の軸線Ｍ方向のスライド移動という簡単な動作だけで、回転の規制と解除を容易に行うことができる。
また、長溝１２３ｃおよびネジ１１４ｂが露出していることから、ネジ１１４ｂが軸線方向溝部１２３ｃ２の先端に配されていれば、それを目視して、回転部１１を手前に引くことが直感的に認識し易くなり、ネジ１１４ｂが軸線方向溝部１２３ｃ２の基端に配されれば、周方向溝部１２３ｃ１の延びる方向に回転部１１を回転させることが直感的に認識し易くなる。そのため、回転操作時に、長溝１２３ｃおよびネジ１１４ｂを目視しながら、スライド移動や回転動作を直感的に容易に行うことができる。
【００３５】
また、係止受け部１２１の開き角度θ３が、１５０°に設定されていることから、開閉スペース１２１ｃを広く取って用紙Ｐの綴じ量を多くしつつ、爪部１１１および係止受け部１２１の閉位置Ｑからの回転動作を迅速に行うことができる。
また、爪部１１１の長さ寸法Ｌ１が、係止受け部１２１の長さ寸法Ｌ３よりも大きく設定され、長さ寸法Ｌ４と同一に設定されていることから、閉位置Ｑにおいて爪部１１１の先端部１１１ａおよび基端部１１１ｂを一対の縁部１２１ａに対して周方向に越えて配することができ、用紙Ｐを綴じることができるだけでなく、開位置Ｓにおいて一対の縁部１２１ａを開放して開閉スペース１２１ｃを広く利用することができ、用紙Ｐの出し入れを容易にして用紙Ｐの綴じ量を多くすることができる。
【００３６】
なお、本発明の技術範囲は上記の実施形態に限定されるものではなく、本発明の趣旨を逸脱しない範囲において、種々の変更を加えることが可能である。
例えば、係止受け部１２１が略半円筒状になっているとしたが、これに限ることはなく、適宜変更可能である。具体的には、図７に示すように、係止受け部１２１が一対の連結棒１２１ｄを備えていてもよい。連結棒１２１ｄの横断面は円弧状に形成されており、連結棒１２１ｄは、軸線Ｍを中心として同心状に設けられている。そして、この外周面１１２ａは、外周面１１３ａ,１１４ａに面一になっており、その内周面は、回転部側先端環状部１１３および回転部側基端環状部１１４の内周面と面一になっている。
これにより、綴じ具１０の軽量化を図ることができる。
なお、図７において、符号１２ａは、回転受け部を示している。
【００３７】
また、図８に示すように、外周部材と内周部材が内と外で逆になっていてもよい。
すなわち、軸線Ｍに対して外周側に設けられた回転部１１ａが、回転受け部１２ｂの外周において軸線Ｍを回転中心として回転するようになっている。
なお、係止受け部１２１１は円筒状に形成されている。
組み立て時においては、受け部側先端環状部１２２および受け部側基端環状部１２３のそれぞれの外周面と、回転部側先端環状部１１３および回転部側基端環状部１１４のそれぞれの内周面とが軸線Ｍ方向に摺動しながら爪部１１１と係止受け部１２１１とのスライド移動を案内する。また、組み立て後においては、上記それぞれの外周面と内周面とが軸線Ｍを回転中心として摺動回転する。すなわち、受け部側先端環状部１２２、受け部側基端環状部１２３、回転部側先端環状部１１３および回転部側基端環状部１１４が案内保持部として機能する。さらに、受け部側先端環状部１２２および受け部側基端環状部１２３が内周部材として機能し、回転部側先端環状部１１３および回転部側基端環状部１１４が外周部材として機能する。
また、回転部側基端環状部１１４の基端部が操作部として機能する。すなわち、操作部が回転部側基端環状部１１４と一体に設けられている。
【００３８】
なお、用紙Ｐの出し入れの際には、回転受け部１２ｂを回転させるようにしてもよい。
これにより、爪部１１１の周方向の回転位置を固定したまま、用紙Ｐの出し入れをすることができる。
また、上記それぞれの外周面および内周面は、爪部１１１の回転軌跡Ｒ上の内方領域に配されている。
これにより、上記それぞれの外周面および内周面を介して、爪部１１１と係止受け部１２１１とを回転させやすくすることができる。
また、図８に示す係止受け部１２１１が円筒状に形成されているとしたが、これに限ることはなく、適宜変更可能である。例えば、図９に示すように、係止受け部１２１２が一対の連結棒１２１ｄを備えていてもよい。
なお、図９において、符号１２ｃは、回転受け部を示している。
【００３９】
また、図１０に示すように、回転受け部１２ｄが矩形枠状になっていてもよい。この回転受け部１２ｄは、一対の長辺部１２１ｄ１および短辺部１２１ｄ２を備えている。これら長辺部１２１ｄ１が係止受け部として機能する。また、一方の短辺部１２１ｄ２の長さ方向の中央部には、軸線Ｍ方向に貫通する貫通孔１２１ｄ３が設けられている。この回転受け部１２ｄの枠内において、回転部１１ｂが軸線Ｍを回転中心として回転可能に保持されている。
回転部１１ｂは、爪部１１１を連結するＬ字状の連結部１１２ｂを備えている。連結部１１２ｂは、軸線Ｍ方向に沿って延びる角柱状の長尺連結部１１２ｂ１と、この長尺連結部１１２ｂ１の基端から径方向に延びる短尺連結部１１２ｂ２とを備えている。
短尺連結部１１２ｂ２の長さ方向の中央部には、軸線Ｍ方向に延びる円柱状の回転棒１１２ｂ３が設けられている。回転棒１１２ｂ３の先端には、円板状の操作部１１５ａが設けられている。
【００４０】
このような構成のもと、組み立て時においては、回転受け部１２ｄの枠内に回転部１１ｂを配した状態で、回転棒１１２ｂ３を貫通孔１２１ｄ３に挿通させていく。このとき、回転棒１１２ｂ３の外周面と貫通孔１２１ｄ３の内周面とが摺動移動することにより、爪部１１１と回転受け部１２ｄとの軸線Ｍ方向のスライド移動が案内される。また、組み立て後においては、操作部１１５ａを回転させると、回転棒１１２ｂ３の外周面と貫通孔１２１ｄ３の内周面とが軸線Ｍを回転中心として摺動回転しながら、爪部１１１と回転受け部１２ｄとが回転する。すなわち、回転棒１１２ｂ３および短辺部１２１ｄ２が案内保持部として機能する。さらに、回転棒１１２ｂ３が内周部材として機能し、短辺部１２１ｄ２が外周部材として機能する。
また、回転棒１１２ｂ３の外周面および貫通孔１２１ｄ３の内周面は、爪部１１１の回転軌跡Ｒ上の内方領域に配されている。
【００４１】
また、開き角度θ３が１５０°に設定されているとしたが、これに限ることはなく、設定角度は適宜変更可能である。例えば、図５(ｄ)に示すように、開き角度θ３を９０°に設定することができる。これにより、開閉スペース１２１ｃにおける用紙Ｐの出し入れの幅を確保しつつ、爪部１１１による挿抜を迅速かつ容易に行うことができる。また、開き角度θ３を、９０°から１８０°に設定することができる。これにより、用紙Ｐの出し入れの幅を確保しつつ、爪部１１１による挿抜を行うことができる。
さらに、開き角度θ３を、１２０°から１８０°に設定することができ、好ましくは、１５０°から１８０°に設定することができる。これにより、用紙Ｐの出し入れの幅を広く確保しつつ、爪部１１１による挿抜を行うことができる。
また、開き角度θ３を、１２０°から１５０°に設定することができる。これにより、用紙Ｐの出し入れの幅の確保と、爪部１１１による挿抜のし易さとのバランスを取ることができる。
さらに、開き角度θ３を、９０°から１２０°に設定することができる。これにより、用紙Ｐの出し入れの幅を確保しつつ、爪部１１１による挿抜を迅速かつ容易に行うことができる。
また、開き角度θ３を１８０°以上に設定してもよく、９０°以下に設定してもよい。
【００４２】
また、開き角度θ１が１７５°に設定されているとしたが、これに限ることはなく、設定角度は適宜変更可能である。例えば、開き角度θ３が９０°に設定されている場合に、図５（ｃ）に示すように、開き角度θ１を１００°に設定することができる。すなわち、爪部１１１の長さ寸法Ｌ１を、長さ寸法Ｌ３以上であって長さ寸法Ｌ４以下に設定することができる。これにより、開位置Ｓにおいて開閉スペース１２１ｃを広く取りつつ、閉位置Ｑにおいて爪部１１１と係止受け部１２１とで用紙Ｐを綴じることができる。
また、長さ寸法Ｌ１を長さ寸法Ｌ３以下に設定してもよいし、長さ寸法Ｌ４以上に設定してもよい。
また、開き角度θ２が３５°に設定されているとしたが、これに限ることはなく、設定角度は適宜変更可能である。例えば、開き角度θ２を１０°から５０°、好ましくは２０°から４０°、さらに好ましくは３０°〜４０°に設定することができる。これにより、連結部１１２の強度を保持しつつ開閉スペース１２１ｃを広く使うことができる。
また、爪部１１１と回転受け部１２とは、相対的に回転するものであり、爪部１１１のみが回転してもよく、回転受け部１２のみが回転してもよく、さらに爪部１１１と回転受け部１２の両方が回転してもよい。
【００４３】
また、綴じ具１０が金属からなるとしているが、これに限ることはなく、樹脂やその他の材質など適宜変更可能である。
また、爪部１１１の径寸法が回転部側先端環状部１１３および回転部側基端環状部１１４の径寸法と同一であるとしているが、これに限ることはなく、その径寸法は適宜変更可能である。例えば、爪部１１１の径寸法を回転部側先端環状部１１３および回転部側基端環状部１１４の径寸法より小さくしてもよい。これにより、組み立て時において、回転部１１を回転受け部１２内に容易にスライド移動させることができる。
また、回転部側先端環状部１１３および回転部側基端環状部１１４の径寸法が同一であるとしているが、これに限ることはなく、適宜変更可能である。
また、回転部側先端環状部１１３および回転部側基端環状部１１４を設けているが、これに限ることはなく、少なくともいずれか一方があればよい。
また、回転部１１に設けられる環状部の位置は、適宜変更可能であり、中央部やそれ以外の箇所などに設けられていてもよい。
【００４４】
また、受け部側先端環状部１２２および受け部側基端環状部１２３の径寸法が同一であるとしているが、これに限ることはなく、適宜変更可能である。
例えば、受け部側先端環状部１２２および回転部側先端環状部１１３の径寸法を、受け部側基端環状部１２３、回転部側基端環状部１１４、爪部１１１および係止受け部１２１の径寸法よりも大きくしてもよい。これにより、組み立て時において、回転部側基端環状部１１４および爪部１１１を受け部側先端環状部１２２の筒穴に通しやすくすることができる。
また、受け部側先端環状部１２２および受け部側基端環状部１２３を設けているが、これに限ることはなく、少なくともいずれか一方があればよい。
また、回転受け部１２に設けられる環状部の位置は、適宜変更可能であり、中央部やそれ以外の箇所などに設けられていてもよい。
また、回転部１１および回転受け部１２に設けられる環状部の形状は、適宜変更可能である。例えば、軸線Ｍを回転中心とする周方向の少なくとも一部において、爪部１１１と係止受け部１２１との相対的な回転を支持するものであればよい。具体的には、環状部の形状を円弧状にしてもよい。
また、回転部１１または回転受け部１２の形状は適宜変更可能であり、案内保持部として機能する部分が周状であればよく、他の部分は矩形状やその他の形状でもよい。
【００４５】
また、図１において、回転部側基端環状部１１４の基端部１１４ｄが操作部１１５として一体であるとしたが、これに限ることはなく、操作部を別個に設けてもよい。さらに、操作部を設けなくてもよい。
また、爪部１１１の設置数は、適宜変更可能である。例えば、１つまたは複数設置することもできる。
また、案内保持部が爪部１１１と係止受け部１２１とのスライド移動を案内するのは、少なくとも組み立て時であればよく、組み立て後には両者のスライド移動が規制されていてもよい。
また、ホルダー６が設けられているとしたが、これに限ることはなく、ホルダー６を設けなくてもよい。さらに、ホルダー６の設置数は適宜変更可能である。例えば、１つまたは複数のホルダー６を綴じることができるようにしてもよい。
【００４６】
また、表表紙部５ａおよび裏表紙部５ｂが設けられているとしたが、これに限ることはなく、表表紙部５ａおよび裏表紙部５ｂの少なくともいずれか一方が設けられていればよい。
また、表紙部５は、回転受け部１２に貼付されているとしたが、これに限ることはなく、爪部１１１に綴じられるものであってもよい。
また、表紙部５を設けなくてもよい。この場合、ホルダー６を表紙部として機能させてもよい。
また、背シート部６ｃの形状は、円弧でなくても適宜変更可能である。例えば、幅方向の中心部が高く両端部が低くなっていればよい。具体的には、凸形状であってもよい。
また、用紙Ｐがルーズリーフ等の紙シートであるとしたが、これに限ることはなく、適宜変更可能である。例えば、カレンダーやアルバムなどであってもよい。
【００４７】
また、長溝１２３ｃ、ネジ穴１１４ｃおよびネジ１１４ｂが設けられているとしたが、これに限ることはなく、長溝１２３ｃ、ネジ穴１１４ｃおよびネジ１１４ｂを設けなくてもよい。
また、長溝１２３ｃ、ネジ穴１１４ｃおよびネジ１１４ｂが外方に露出しているとしたが、これに限ることはなく、組み立て後には内方に設けられていて目視できなくてもよい。
また、長溝１２３ｃが、周方向溝部１２３ｃ１と軸線方向溝部１２３ｃ２とを備えるとしたが、これに限ることはなく、その構成は適宜変更可能である。例えば、２つの軸線方向溝部１２３ｃ２のうち少なくとも一つが設けられていればよい。これにより、閉位置Ｑまたは開位置Ｓの少なくともいずれか一方において爪部１１１と係止受け部１２１との回転を規制することができる。さらに、周方向溝部１２３ｃ１のみを設け、軸線方向溝部１２３ｃ２を設けなくてもよい。
また、バネ１１６がリング状に形成されているとしたが、これに限ることはなく、その形状は板バネやコイルバネなど適宜変更可能である。さらに、バネ１１６を設けなくてもよい。
また、爪部１１１の基端の周方向に延ばされて連結部１１２が一体に連結されているとしたが、これに限ることはなく、連結位置は適宜変更可能である。例えば、爪部１１１の内周面側に連結部１１２が連結されていてもよいし、爪部１１１の外周面１１１ｃ側に連結されていてもよい。
また、以上の実施形態や変形例を種々組み合わせることができることは言うまでもない。
【００４８】
既述の実施形態に関し、さらに以下の付記を示す。
（付記１）
用紙の綴じ穴に挿抜される円弧状の係止部と、
前記係止部と協動して前記用紙を綴じる係止受け部と、
組み立て時において前記係止部の円弧の中心を通る軸線の方向に前記係止部と前記係止受け部とのスライド移動を案内し、組み立て後において前記用紙を綴じる閉位置と前記用紙を開放する開位置との間で前記係止部と前記係止受け部とを前記軸線を回転中心として相対的に回転可能に保持する案内保持部とを備える綴じ具。
【００４９】
（付記２）
前記案内保持部は、
前記係止部または前記係止受け部のいずれか一方に連結された内周部材と、
前記係止部または前記係止受け部のいずれか他方に連結され前記円弧の中心に対して前記内周部材の外方に同心状に設けられた外周部材とを備え、
前記内周部材には、前記軸線の方向に延びる外周面が設けられ、
前記外周部材には、前記軸線の方向に延びる内周面が設けられ、
前記外周面と前記内周面とが、前記組み立て時において前記軸線の方向に摺動しながら前記スライド移動を案内し、前記組み立て後において前記軸線を回転中心として相対的に摺動回転する付記１に記載の綴じ具。
【００５０】
（付記３）
前記内周面および前記外周面は、
前記係止部の回転軌跡上の円の外方領域に設けられている付記２に記載の綴じ具。
【００５１】
（付記４）
前記内周面および前記外周面は、
前記係止部の回転軌跡上の円の内方領域に設けられている付記２に記載の綴じ具。
【００５２】
（付記５）
前記係止部を回転させる環状の操作部を備え、
前記操作部が、前記内周部材または前記外周部材と一体に設けられている付記２から付記４のいずれか一項に記載の綴じ具。
【００５３】
（付記６）
前記外周部材に、周方向に延びる周方向溝部が設けられており、
前記内周部材の外周面に、前記周方向溝部に配される凸部が設けられている付記２から付記５のいずれか一項に記載の綴じ具。
【００５４】
（付記７）
前記開位置において前記用紙が出し入れされ前記閉位置において前記用紙が綴じられる開閉スペースを設けるための一対の縁部が前記係止受け部に設けられており、
一方の前記縁部から他方の前記縁部までの前記円弧の中心に対する前記開閉スペース側の開き角度が９０°〜１８０°に設定されている付記１から付記６のいずれか一項に記載の綴じ具。
【００５５】
（付記８）
前記係止部の基端部から先端部までの弧の長さ寸法が、前記一対の縁部の周方向の間における前記開閉スペース側の弧の長さ寸法以上であって前記開閉スペース側と反対側の弧の長さ寸法以下に設定されている付記１から付記７のいずれか一項に記載の綴じ具。
【００５６】
（付記９）
付記１から付記８のいずれか一項に記載の綴じ具と、
前記綴じ具に設けられた表紙部と、
前記係止部および前記係止受け部によって綴じられる用紙と
を備えるファイル。
【符号の説明】
【００５７】
１      ファイル
５      表紙部
１０    綴じ具
１１１  爪部（係止部）
１１３  回転部側先端環状部（案内保持部、内周部材）
１１３ａ  外周面
１１４  回転部側基端環状部（案内保持部、内周部材）
１１４ａ  外周面
１１４ｂ  ネジ（凸部）
１１５  操作部
１２１,１２１１，１２１２  係止受け部
１２１ａ  縁部
１２１ｃ  開閉スペース
１２２  受け部側先端環状部（案内保持部、外周部材）
１２２ｂ  内周面
１２３  受け部側基端環状部（案内保持部、外周部材）
１２３ｂ  内周面
１２３ｃ  長溝
１２３ｃ１  周方向溝部
１２３ｃ２  軸線方向溝部
１１５,１１５ａ    操作部
Ｍ      軸線
Ｐ      用紙
Ｑ      閉位置
Ｒ      回転軌跡
Ｓ      開位置
θ３    開き角度
Ｌ１，Ｌ３，Ｌ４  長さ寸法
【図１】
2020163794.tif 000003
【図２】
2020163794.tif 000004
【図３】
2020163794.tif 000005
【図４】
2020163794.tif 000006
【図５】
2020163794.tif 000007
【図６】
2020163794.tif 000008
【図７】
2020163794.tif 000009
【図８】
2020163794.tif 000010
【図９】
2020163794.tif 000011
【図１０】
2020163794.tif 000012